(57)【要約】【課題】積層ばらつきによる電気的特性の変動を抑制することができる受動部品を提供する。【解決手段】誘電体基板１２内の第４の誘電体層Ｓ４において、入力側共振電極２６の開放端部２６ｂ及び出力側共振電極２８の開放端部２８ｂを略９０°に折り曲げて形成する。一方、内層アース電極４２、４６の両端部４２ａ、４２ｂ、４６ａ、４６ｂも略９０°に折り曲げて形成する。これにより、第４の誘電体層Ｓ４に対する内層アース電極４２、４６の両端部４２ａ、４２ｂ、４６ａ、４６ｂの投影像と、入力側共振電極２６及び出力側共振電極２８の開放端部２６ｂ、２８ｂとが交差する。【選択図】図４
2006066980.tif 000002
【特許請求の範囲】
【請求項１】
誘電体基板内で、複数の共振電極が第１の形成面上に形成され、前記複数の共振電極の各開放端部と静電容量を形成するための内層アース電極が第２の形成面上に形成されている受動部品において、
前記誘電体基板の下面に前記複数の共振電極にビアホールを介して電気的に接続される端子と、前記内層アース電極にビアホールを介して電気的に接続されるアース端子とが形成され、
前記複数の共振電極のうち、少なくとも１つの共振電極の開放端部は、前記第１の形成面上で折り曲げられ、
前記開放端部と前記内層アース電極とは、誘電体を挟んで交差していることを特徴とする受動部品。
【請求項２】
請求項１記載の受動部品において、
前記内層アース電極の少なくとも１つの端部は、前記第２の形成面上で折り曲げられ、
前記端部と前記開放端部とは、前記誘電体を挟んで交差していることを特徴とする受動部品。
【請求項３】
請求項１又は２記載の受動部品において、
前記内層アース電極の両端部は、前記第２の形成面上で折り曲げられ、
前記両端部は、前記誘電体を挟んで、２つの前記共振電極の前記開放端部とそれぞれ交差していることを特徴とする受動部品。
【請求項４】
請求項１〜３のいずれか１項に記載の受動部品において、
前記開放端部と前記端部とは、前記誘電体を挟んで十字状に交差していることを特徴とする受動部品。
【請求項５】
請求項４記載の受動部品において、
前記開放端部は、前記第１の形成面上で、前記共振電極に対して略９０°に折り曲げられ、
前記内層アース電極は、前記第２の形成面上で、前記共振電極に対して略９０°に配置され、
前記端部は、前記第２の形成面上で、前記内層アース電極に対して略９０°に折り曲げられていることを特徴とする受動部品。
【請求項６】
請求項１〜５のいずれか１項に記載の受動部品において、
前記開放端部が折り曲げられている前記共振電極は、入力側共振電極と出力側共振電極とであることを特徴とする受動部品。
【請求項７】
誘電体基板内に複数の共振電極が１つの形成面上に形成された受動部品において、
前記誘電体基板の下面に、前記複数の共振電極の各短絡端にビアホールを介して電気的に接続されるアース端子が形成され、
前記複数の共振電極の短絡端は、前記形成面上に形成された導体を介して電気的に接続されていることを特徴とする受動部品。
【請求項８】
請求項１〜７のいずれか１項に記載の受動部品において、
前記誘電体基板内に、非平衡−平衡変換部と、該非平衡−平衡変換部と前記受動部品の内部電極とを電気的に接続する接続部とを有することを特徴とする受動部品。
【発明の詳細な説明】
【技術分野】
【０００１】
本発明は、数百ＭＨｚ〜数ＧＨｚのマイクロ波帯において共振回路を構成する積層型誘電体フィルタ等を含む受動部品に関し、積層ずれによる電気的特性のばらつきを抑制することができる受動部品に関する。
【背景技術】
【０００２】
近年、集積回路（ＩＣ）が高集積化され、ＩＣ自体の小型化が急速に進んでいる。これに伴い、前記ＩＣの周辺に使用されるフィルタ等の受動部品の小型化が進んでいる。前記受動部品の小型化には、誘電体基板を使用した積層型誘電体受動部品が有効である。
【０００３】
従来の積層型誘電体受動部品である受動部品２００は、図１７に示すように、第１〜第６の誘電体層Ｓ１〜Ｓ６を積層して構成された誘電体基板２０２内において、第３の誘電体層Ｓ３の一主面に形成された入力電極２０４及び出力電極２０６と、第４の誘電体層Ｓ４の一主面に形成された第１〜第３の共振電極２０８ａ〜２０８ｃと、第５の誘電体層Ｓ５の一主面に形成された第１〜第３の内層アース電極２１０ａ〜２１０ｃとを有する（特許文献１参照）。
【０００４】
この従来例では、第４の誘電体層Ｓ４を挟んで、第１〜第３の共振電極２０８ａ〜２０８ｃの開放端部２１２ａ〜２１２ｃと第１〜第３の内層アース電極２１０ａ〜２１０ｃとが対向配置されている。これにより、開放端部２１２ａ〜２１２ｃと第１〜第３の内層アース電極２１０ａ〜２１０ｃとが重なり合った部分では、図１８に示すように、面積Ｄを有するコンデンサが形成される。
【０００５】
【特許文献１】特開平１０−１９０３０９号公報
【発明の開示】
【発明が解決しようとする課題】
【０００６】
このような受動部品に関して、安定して高い歩留まりを確保するためには、該受動部品の製造ばらつきをいかにして抑制するかが重要になる。この場合、主たる製造ばらつきとしては、積層ずれが挙げられる。
【０００７】
上述した受動部品２００においては、第１〜第３の共振電極２０８ａ〜２０８ｃの開放端部２１２ａ〜２１２ｃと第１〜第３の内層アース電極２１０ａ〜２１０ｃとの間で積層ずれが発生すると、面積Ｄが変動するので、前記コンデンサの静電容量がばらつくおそれがある。これにより、受動部品２００のフィルタ特性が大きく変動して、該フィルタ特性を所望の特性にすることができないという問題がある。
【０００８】
このように、従来の受動部品においては、積層ずれによって電気的特性のばらつきが発生するという問題があった。
【０００９】
本発明はこのような課題を考慮してなされたものであり、積層ずれによる電気的特性のばらつきを抑制することができる受動部品を提供することを目的とする。
【００１０】
また、本発明の他の目的は、共振電極とアース端子とを電気的に接続するビアホールのインピーダンスに影響されることなく、電気的特性の安定化を図ることができることにある。
【課題を解決するための手段】
【００１１】
本発明に係る受動部品は、誘電体基板内で、複数の共振電極が第１の形成面上に形成され、前記複数の共振電極の各開放端と静電容量を形成するための内層アース電極が第２の形成面上に形成されている受動部品において、前記誘電体基板の下面に前記複数の共振電極に電気的に接続される端子と、前記内層アース電極に電気的に接続されるアース端子とが形成され、前記複数の共振電極のうち、少なくとも１つの共振電極の開放端部は、前記第１の形成面上で折り曲げられ、前記開放端部と前記内層アース電極とは、誘電体を挟んで交差していることを特徴としている。
【００１２】
まず、前記誘電体基板の下面に、前記複数の共振電極に電気的に接続される端子と、前記内層アース電極に電気的に接続されるアース端子とを形成するようにしたので、この受動部品を例えば配線基板等に実装する場合に、誘電体基板の下面のみに形成された端子を表面実装方式で配線基板に実装すればよい。その結果、受動部品の実装面積を側面実装の場合よりも狭い面積にすることができる。
【００１３】
端子が誘電体基板の下面のみに存在するため、複数の電極の面積を小さくできこれら端子と電極間に浮遊容量が形成されにくくなる。従って、受動部品のアイソレーション特性は改善する。しかも、受動部品の側面に電極を形成する必要がなくなるため、製造工程も簡単になり、製造コストの低廉化を図ることができる。さらに、受動部品の近傍に設置されたシールド板や隣接する他部品の影響を受けにくくなり、特性の変動を小さくすることができる。
【００１４】
また、前記誘電体を介して前記開放端部と前記内層アース電極とが交差しているので、前記受動部品を製造する際に積層ずれが発生しても、前記開放端部と前記内層アース電極との交差部分の面積が変化することはない。そのため、前記積層ずれが発生しても、前記開放端部と前記内層アース電極との間に形成される静電容量は変動しない。従って、積層ずれによる電気的特性のばらつきを抑制することが可能となる。
【００１５】
また、前記開放端部を前記第１の形成面上で折り曲げることにより、該第１の形成面上において、電極が形成されていない誘電体の部分にも前記共振電極を延在させることができる。これにより、前記共振電極から構成される共振器の共振器長を長くすることができ、例えば、共振周波数の低い受動部品を実現することができる。
【００１６】
このように、前記開放端部を前記第１の形成面上で折り曲げるだけで、前記共振器長を長くすることができるので、受動部品の小型化にも効果的である。
【００１７】
この場合、前記内層アース電極の少なくとも１つの端部を、前記第２の形成面上で折り曲げ、前記端部と前記開放端部とを、前記誘電体を挟んで交差するようにしてもよい。
【００１８】
また、前記内層アース電極の両端部を、前記第２の形成面上で折り曲げ、前記誘電体を挟んで、前記両端部を２つの前記共振電極の前記開放端部とそれぞれ交差するようにしてもよい。さらに、前記開放端部と前記端部とを、前記誘電体を挟んで十字状に交差するようにしてもよい。
【００１９】
さらにまた、前記開放端部を、前記第１の形成面上で、前記共振電極に対して略９０°に折り曲げ、前記内層アース電極を、前記第２の形成面上で、前記共振電極に対して略９０°に配置し、前記端部を、前記第２の形成面上で、前記内層アース電極に対して略９０°に折り曲げるようにしてもよい。
【００２０】
また、前記開放端部が折り曲げられている前記共振電極は、入力側共振電極と出力側共振電極としてもよい。
【００２１】
また、本発明に係る受動部品は、誘電体基板内に複数の共振電極が１つの形成面上に形成された受動部品において、前記誘電体基板の下面に、前記複数の共振電極にビアホールを介して電気的に接続される端子が形成され、前記複数の共振電極の短絡端部は、前記形成面上に形成された導体を介して電気的に接続されていることを特徴とする。
【００２２】
前記誘電体基板の下面に、前記複数の共振電極の各短絡端にビアホールを介して電気的に接続されるアース端子を形成することによって、以下の効果を奏することができる。
【００２３】
（１）受動部品の実装面積を側面実装の場合よりも狭い面積にすることができる。
【００２４】
（２）受動部品のアイソレーション特性は改善する。
【００２５】
（３）受動部品の製造工程が簡単になり、製造コストの低廉化を図ることができる。
【００２６】
（４）受動部品の近傍に設置されたシールド板や隣接する他部品の影響を受けにくくなり、特性の変動を小さくすることができる。
【００２７】
ところで、ビアホールを介して前記複数の共振電極の短絡端と前記アース端子とを電気的に接続すると、ビアホールの長さが共振器の共振器長に含まれることになる。そのため、ビアホールのインピーダンスのばらつきによって、共振器の共振周波数が変動し、受動部品の電気的特性にばらつきが発生することが考えられる。
【００２８】
そこで、複数の共振電極の短絡端を、前記形成面上に形成された導体を介して電気的に接続すれば、前記ビアホールの長さが共振器長に含まれることを回避することができる。そのため、ビアホールのインピーダンスにばらつきが発生しても、該ビアホールのインピーダンスに影響されることなく、受動部品の電気的特性の安定化を図ることができる。
【００２９】
なお、前記誘電体基板のうち、前記複数の誘電体層の積層方向上部又は下部に、前記複数の共振電極を有するフィルタ部を形成し、それ以外の部分に非平衡−平衡変換部を形成してもよい。さらに、前記フィルタ部の入力側及び／又は出力側に前記非平衡−平衡変換部を接続部を通じて電気的に接続してもよい。
【発明の効果】
【００３０】
以上説明したように、本発明に係る受動部品によれば、積層ずれによる電気的特性のばらつきを抑制することができる。
【００３１】
また、本発明に係る受動部品によれば、共振電極とアース端子とを電気的に接続するビアホールのインピーダンスに影響されることなく、電気的特性の安定化を図ることができる。
【発明を実施するための最良の形態】
【００３２】
以下、本発明に係る受動部品のいくつかの実施の形態例について図１〜図１６を参照しながら説明する。
【００３３】
まず、第１の実施の形態に係る受動部品１０Ａは、図１に示すように、複数の誘電体層（第１〜第７の誘電体層Ｓ１〜Ｓ７：図２参照）が積層、焼成一体化された誘電体基板１２を有する。誘電体基板１２の外周面のうち、底面１４ｆにのみ、６つの端子（アース端子１６ａ、１６ｂ、１６ｄ、１６ｅ、入力端子１６ｃ及び出力端子１６ｆ）が露出して形成され、他の４つの側面１４ａ〜１４ｄ（図２の第１〜第７の誘電体層Ｓ１〜Ｓ７の一主面に対して直交する側面）及び上面１４ｅには誘電体のみが形成されている。
【００３４】
誘電体基板１２は、図２に示すように、上から順に、第１〜第７の誘電体層Ｓ１〜Ｓ７が積み重ねられて構成されている。これら第１〜第７の誘電体層Ｓ１〜Ｓ７は１枚あるいは複数枚の層にて構成される。
【００３５】
また、複数の誘電体層Ｓ１〜Ｓ７のうち、第２及び第６の誘電体層Ｓ２、Ｓ６の一主面には、内層アース電極１８ａ、１８ｂが形成されている。
【００３６】
誘電体基板１２内には、２つの１／４波長の共振器（入力側共振器２０及び出力側共振器２２）から構成されるフィルタ部２４を有する。このフィルタ部２４は第４の誘電体層Ｓ４の一主面に形成された入力側共振電極２６と出力側共振電極２８とを有する。
【００３７】
入力側共振電極２６の一方の端部（第３の側面１４ｃに近接した位置に形成された端部）と、出力側共振電極２８の一方の端部（第３の側面１４ｃに近接した位置に形成された端部）は、それぞれビアホール３０及び３２を介して内層アース電極１８ａ、１８ｂと電気的に接続されている（図３参照）。すなわち、入力側共振電極２６の一方の端部と、出力側共振電極２８の一方の端部は、それぞれ短絡端部２６ａ、２８ａを構成する。
【００３８】
また、入力側共振電極２６の他方の端部と、出力側共振電極２８の端部とは、それぞれ開放端部２６ｂ、２８ｂを構成する。この場合、入力側共振電極２６の開放端部２６ｂは、図２及び図４に示すように、第４の誘電体層Ｓ４上であって第２の側面１４ｂ（第３の側面１４ｃと反対側の側面）寄りの箇所で９０°に折れ曲がり、第１の側面１４ａ（第４の側面１４ｄ及び出力側共振電極２８とは反対側の側面）に向うように形成されている。一方、出力側共振電極２８の開放端部２８ｂは、第４の誘電体層Ｓ４上であって第２の側面１４ｂ寄りの箇所で９０°に折れ曲がり、第４の側面１４ｄに向うように形成されている。なお、図４において、第３及び第５の誘電体層Ｓ３、Ｓ５の内層アース電極４２、４６は、第４の誘電体層Ｓ４に投影した投影像（破線参照）で図示されている。
【００３９】
図２及び図４に示すように、入力側共振電極２６から誘電体基板１２の第１及び第３の側面１４ａ及び１４ｃのコーナ部分に向けて入力タップ電極３４が形成されている。そして、入力タップ電極３４は、ビアホール３６を介して入力端子１６ｃと電気的に接続されている（図３参照）。また、出力側共振電極２８から誘電体基板１２の第３及び第４の側面１４ｃ及び１４ｄのコーナ部分に向けて出力タップ電極３８が形成されている。この場合、出力タップ電極３８は、ビアホール４０を介して出力端子１６ｆと電気的に接続されている（図３参照）。
【００４０】
図２に示すように、第３の誘電体層Ｓ３の一主面には、入力側共振電極２６及び出力側共振電極２８の各開放端部２６ｂ、２８ｂと対向し、誘電体基板１２の第２の側面１４ｂに近接して形成された内層アース電極４２と、入力側共振器２０と出力側共振器２２との間の結合度を調整するための結合調整電極４４とが形成されている。
【００４１】
第５の誘電体層Ｓ５の一主面には、誘電体基板１２の第２の側面１４ｂに近接して内層アース電極４６が形成されている。
【００４２】
この場合、２つの内層アース電極４２、４６は、第２の側面１４ｂ寄りの位置において、第２の側面１４ｂに平行して形成されているが、該内層アース電極４２の両端部４２ａ、４２ｂは、第３及び第５の誘電体層Ｓ３、Ｓ５であって第１及び第４の側面１４ａ、１４ｄの手前で９０°に折れ曲がり、第３の側面１４ｃに向かい延在して形成されている。すなわち、上述した内層アース電極４２、４６は略コ字状の形状を有し、図２及び図４に示すように、それらの電極の端部４２ａ、４２ｂ、４６ａ、４６ｂは、入力側共振電極２６及び出力側共振電極２８の開放端部２６ｂ、２８ｂを挟んで重なり合っている。
【００４３】
具体的には、入力側共振電極２６の開放端部２６ｂは、第１の側面１４ａに向かって第１の端部４２ａからはみ出るように形成されると共に、第１の端部４２ａは、第３の側面１４ｃに向って該開放端部２６ｂからはみ出るように形成されている。すなわち、入力側共振電極２６の開放端部２６ｂと内層アース電極４２の第１の端部４２ａとは、図４に示すように略十字状に重なり合っている。
【００４４】
一方、出力側共振電極２８の開放端部２８ｂと内層アース電極４２の第２の端部４２ｂとについても、上述した入力側共振電極２６の開放端部２６ｂ及び内層アース電極４２の第１の端部４２ａの場合と同様に、略十字状に重なり合っている。
【００４５】
さらに、内層アース電極４６の第１及び第２の端部４６ａ、４６ｂについても、内層アース電極４２の場合と同様に、入力側共振電極２６の開放端部２６ｂ及び出力側共振電極２８の開放端部２８ｂと略十字状に重なり合っている。すなわち、第１の端部４６ａは、入力側共振電極２６の開放端部２６ｂと略直交して重なり合っている。また、第２の端部４６ｂは、出力側共振電極２８の開放端部２８ｂと略直交して重なり合っている。
【００４６】
なお、入力側共振電極２６及び出力側共振電極２８の開放端部２６ｂ、２８ｂと、内層アース電極４２、４６の第１及び第２の端部４２ａ、４２ｂ、４６ａ、４６ｂの投影像とが交差する角度は、上述した９０°に限定されるものではなく、第４の誘電体層Ｓ４上で交差可能な角度であればよい。そのため、入力側共振電極２６及び出力側共振電極２８の開放端部２６ｂ、２８ｂは、第１〜第４の側面１４ａ〜１４ｄに接触しない範囲において、どのような角度で折り曲げても構わない。また、開放端部２６ｂ、２８ｂは、第１〜第４の側面１４ａ〜１４ｄに接触しない範囲において、何回折り曲げても構わない。一方、内層アース電極４２、４６の第１及び第２の端部４２ａ、４２ｂ、４６ａ、４６ｂについても、どのような角度で何回折り曲げても構わない。
【００４７】
内層アース電極４２、４６は、図２及び図３に示すように、ビアホール４８、５０を介して内層アース電極１８ａ、１８ｂ及びアース端子１６ａ、１６ｄと電気的に接続されている。また、第６の誘電体層Ｓ６に形成された内層アース電極１８ｂは、ビアホール５２、５４を介してアース端子１６ｂ、１６ｅと電気的に接続されている。
【００４８】
次に、第１の実施の形態に係る受動部品１０Ａと、図５Ａ〜図６Ｂに示す受動部品５８Ａ〜５８Ｄ（比較例）との違いについて説明する。
【００４９】
第１の比較例に係る受動部品５８Ａは、図５Ａに示すように、入力側共振電極６０及び出力側共振電極６２が略直線状に形成され、その開放端部６０ｂ、６２ｂの先端は、２つの内層アース電極６４、６６と重なり合うようにして形成されている。
【００５０】
この場合、例えば、入力側共振電極６０及び出力側共振電極６２の長手方向（図５Ａの矢印Ａ方向）に積層ずれが発生すると、内層アース電極６４、６６と重なり合う、入力側共振電極６０の開放端部６０ｂ及び出力側共振電極６２の開放端部６２ｂの長さ（重なり長さ）ｄａが変化する。これにより、内層アース電極６４、６６と開放端部６０ｂ、６２ｂとの重なり合う部分の面積Ｄが変化して、内層アース電極６４、６６と開放端部６０ｂ、６２ｂとにより形成される静電容量が変化する。そのため、受動部品５８Ａの電気的特性（例えば、通過帯域、共振周波数）が大きく変動することが考えられる。
【００５１】
なお、前記長手方向と直交する方向（矢印Ｂ方向）に積層ずれが発生する場合には、重なり長さｄａはあまり変化しない。そのため、前記積層ずれによる受動部品５８Ａの電気的特性のばらつきは、矢印Ａ方向の積層ずれによる電気的特性のばらつきよりも小さい。
【００５２】
また、第２の比較例に係る受動部品５８Ｂでは、図５Ｂに示すように、入力側共振電極６０及び出力側共振電極６２の開放端部６０ｂ、６２ｂが略９０°に折り曲げられて矢印Ｂ方向に延在して形成されている。一方、内層アース電極６４、６６の両端部６４ａ、６４ｂ、６６ａ、６６ｂは略９０°に折り曲げられて、開放端部６０ａ、６２ｂの先端と重なり合うようにして形成されている。
【００５３】
この受動部品５８Ｂでは、矢印Ｂ方向に積層ずれが発生すると、端部６４ａ、６４ｂ、６６ａ、６６ｂに対する開放端部６０ａ、６２ｂの重なり長さｄｂ１、ｄｂ２が前記矢印Ｂ方向に変化する。これにより、端部６４ａ、６４ｂ、６６ａ、６６ｂと開放端部６０ａ、６２ｂとの重なる部分の面積Ｄ１、Ｄ２が変化して、内層アース電極６４、６６と開放端部６０ａ、６２ｂとにより形成される静電容量が変動する。従って、受動部品５８Ｂの電気的特性にばらつきが発生することが考えられる。
【００５４】
なお、この受動部品５８Ｂにおいて、矢印Ａ方向に積層ずれが発生する場合には、重なり長さｄｂ１、ｄｂ２はあまり変化しないので、この積層ずれによる受動部品５８Ｂの電気的特性のばらつきは、矢印Ｂ方向の積層ずれによる電気的特性のばらつきよりも小さい。
【００５５】
また、第３及び第４の比較例に係る受動部品５８Ｃ及び５８Ｄは、図６Ａ及び図６Ｂに示すように、入力側共振電極６０と出力側共振電極６２との間に、矢印Ａ方向に延在する共振電極６８が設けられ、該共振電極６８の開放端部６８ｂの先端が、内層アース電極６４、６６に重なり合っている。このように、３つ以上の共振電極を有する受動部品５８Ｃ、５８Ｄにおいても、積層ずれが発生すると、共振電極６８の開放端部６８ｂと内層アース電極６４、６６との重なり部分の面積Ｄ３も変動するので、該受動部品５８Ｃ、５８Ｄの電気的特性がさらにばらつくことが考えられる。
【００５６】
上述したように、第１〜第４の比較例に係る受動部品５８Ａ〜５８Ｄではいずれも、矢印Ａ方向又は矢印Ｂ方向に積層ずれが発生すると、その電気的特性が大きく変化して、該電気的特性がばらついてしまうという問題がある。
【００５７】
これに対して、第１の実施の形態に係る受動部品１０Ａは、図４に示すように、内層アース電極４２、４６の第１及び第２の端部４２ａ、４２ｂ、４６ａ、４６ｂの投影像と、入力側共振電極２６の開放端部２６ｂ及び出力側共振電極２８の開放端部２８ｂとが、交差して形成されている。これにより、受動部品１０Ａを製造する際に積層ずれが矢印Ａ方向及び矢印Ｂ方向に発生しても、入力側共振電極２６及び出力側共振電極２８と内層アース電極４２、４６との重なる部分の面積Ｄが変化しない。そのため、積層ずれによる電気的特性の変動を抑制することができる。電気的特性の変動が抑えられる、ということは、積層方向に配置される電極間の間隔や、各電極の面積を小さくしても、同じ特性変動に抑えることができることであり、その結果、所望の電気的特性を有する受動部品１０Ａを得ることができ、該受動部品１０Ａの小型化及び薄型化を図ることが可能となる。
【００５８】
また、開放端部２６ｂ、２８ｂを折り曲げて形成するだけで、入力側共振電極２６を構成する入力側共振器２０及び出力側共振電極２８を構成する出力側共振器２２の共振器長を長くでき、より低周波の受動部品１０Ａを実現することができる。これにより、受動部品１０Ａの小型化を図ることができる。
【００５９】
次に、第１の実施の形態に係る受動部品１０Ａの変形例（第１の変形例）について、図７を参照しながら説明する。
【００６０】
第１の変形例に係る受動部品１０Ａａは、図７に示すように、入力側共振電極２６と出力側共振電極２８との間に、共振電極７０が入力側共振電極２６及び出力側共振電極２８と並行して形成され、該共振電極７０の開放端部７０ｂと内層アース電極４２、４６の中央部分とが略十字状に重なり合っている点以外は、第１の実施の形態に係る受動部品１０Ａ（図４参照）と同様である。
【００６１】
この場合、共振電極７０の短絡端部７０ａは、ビアホール７２を介して内層アース電極１８ａ、１８ｂ（図２及び図３参照）と電気的に接続されている。
【００６２】
この受動部品１０Ａａにおいても、積層ずれが発生しても、開放端部７０ｂと内層アース電極４２、４６との重なり部分の面積Ｄ３が変化しないので、積層ずれによる受動部品１０Ａａの電気的特性の変化を抑制することができる。
【００６３】
また、共振電極７０と内層アース電極４２、４６の投影像とを交差させるだけで受動部品１０Ａａの電気的特性のばらつきを抑制することができるので、３つ以上の共振電極を有する受動部品１０Ａａを容易に実現することができる。
【００６４】
次に、第２の実施の形態に係る受動部品１０Ｂについて、図８及び図９を参照しながら説明する。なお、第１の実施の形態に係る受動部品１０Ａ（図１〜図４参照）と同じ構成要素については、同一の参照符号を付して説明する。
【００６５】
第２の実施の形態に係る受動部品１０Ｂは、図８に示すように、入力側共振電極２６の短絡端部２６ａと出力側共振電極２８の短絡端部２８ａとが、短絡電極７４を介して電気的に接続されている点以外は、第１の実施の形態に係る受動部品１０Ａ（図４参照）と同様である。
【００６６】
図１〜図４に示す第１の実施の形態に係る受動部品１０Ａでは、短絡電極７４が形成されていない。この場合、入力側共振器２０と出力側共振器２２とは、ビアホール３０、３２及び内層アース電極１８ａ、１８ｂを介して電気的に接続される。そのため、入力側共振器２０及び出力側共振器２２の共振器長に、ビアホール３０、３２の長さが含まれることになる。
【００６７】
この場合、ビアホール３０、３２に充填されている導電性材料の充填量、すなわち、ビアホール３０、３２の導電率のばらつきと、各誘電体層Ｓ４〜Ｓ７ごとのビアホール３０、３２の積層ずれとにより、ビアホール３０、３２のインピーダンスがばらつくことが考えられる。また、入力側共振電極２６及び出力側共振電極２８とビアホール３０、３２との積層ずれによって、ビアホール３０、３２のインピーダンスが変動することも考えられる。
【００６８】
上述したように、ビアホール３０、３２の長さが入力側共振器２０及び出力側共振器２２の共振器長に含まれるので、前記インピーダンスの変化によって入力側共振器２０及び出力側共振器２２の共振周波数が変動し、受動部品１０Ａの電気的特性にばらつきが発生することが懸念される。
【００６９】
これに対して、第２の実施の形態に係る受動部品１０Ｂでは、図８に示すように、第４の誘電体層Ｓ４上に形成された短絡電極７４によって、入力側共振電極２６の短絡端部２８ａと出力側共振電極２８の短絡端部２８ａとを電気的に接続するようにしているので、入力側共振器２０及び出力側共振器２２の共振器長にビアホール３０、３２の長さが含まれることはない。これにより、ビアホール３０、３２のインピーダンスのばらつきに関係なく、入力側共振器２０及び出力側共振器２２の共振周波数の変動を抑制することができる。従って、受動部品１０Ｂの電気的特性をさらに安定化することができる。
【００７０】
次に、第２の実施の形態に係る受動部品１０Ｂの変形例（第２の変形例）について、図９を参照しながら説明する。
【００７１】
第２の変形例に係る受動部品１０Ｂａは、図９に示すように、入力側共振電極２６の短絡端部２６ａと共振電極７０の短絡端部７０ａと出力側共振電極２８の短絡端部２８ａとの間を、短絡電極７４で電気的に接続する点以外は、第１の変形例に係る受動部品１０Ａａ（図７参照）と同様である。
【００７２】
この受動部品１０Ｂａも、短絡電極７４で短絡端部２６ａ、７０ａ、２８ａ間を電気的に接続しているので、入力側共振器２０及び出力側共振器２２の共振器長にビアホール３０、３２の長さが含まれることはない。そのため、ビアホール３０、３２のインピーダンスのばらつきに関係なく、入力側共振器２０及び出力側共振器２２の共振周波数の変動を抑制することができる。従って、受動部品１０Ｂａの電気的特性を安定化させることができる。
【００７３】
また、共振電極７０の短絡端部７０ａを短絡電極７４に接続するだけで受動部品１０Ｂａの電気的特性のばらつきを抑制することができるので、３つ以上の共振電極を有する受動部品１０Ｂａを容易に実現することができる。
【００７４】
次に、第３の実施の形態に係る受動部品１０Ｃについて、図１０〜図１４を参照しながら説明する。なお、第１及び第２の実施の形態に係る受動部品１０Ａ、１０Ｂ（図１〜図９参照）と同じ構成要素については、同一の参照符号を付して説明する。
【００７５】
この受動部品１０Ｃは、フィルタ部２４の他に後述する変換部８６及び接続部８８を有し、入力側を非平衡型、出力側を平衡型としている点で、第１及び第２の実施の形態に係る受動部品１０Ａ、１０Ｂとは異なる。
【００７６】
まず、受動部品１０Ｃは、図１０に示すように、第１〜第１２の誘電体層Ｓ１〜Ｓ１２（図１１参照）を積層、焼成一体化することにより誘電体基板１２を形成している。そして、底面１４ｆには６つの端子（平衡出力端子１６ｇ、１６ｉ、アース端子１６ｈ、１６ｋ、ＤＣ入力端子１６ｊ及び非平衡入力端子１６ｌ）が露出して形成され、他の４つの側面１４ａ〜１４ｄ及び上面１４ｅには誘電体のみが形成されている。
【００７７】
誘電体基板１２内には、図１１及び図１２に示すように、入力側共振電極２６及び出力側共振電極２８を有するフィルタ部２４と、第１の側面１４ａ寄りに形成された複数のストリップライン８０、８２、８４を有する非平衡−平衡変換部（以下、便宜的に変換部８６と記す）と、これらフィルタ部２４と変換部８６とを接続するための接続部８８が形成されている。
【００７８】
誘電体基板１２は、上から順に、第１の誘電体層Ｓ１〜第１２の誘電体層Ｓ１２が積み重ねられて構成されている。これら第１〜第１２の誘電体層Ｓ１〜Ｓ１２は１枚あるいは複数枚の層にて構成される。
【００７９】
フィルタ部２４と変換部８６とは、誘電体基板１２上、誘電体層Ｓ１〜Ｓ１２の積層方向の上下に分離された領域にそれぞれ形成されている。例えば、誘電体層Ｓ１〜Ｓ１２の積層方向のうち、その上部にはフィルタ部２４が形成され、前記積層方向のうち、その下部には変換部８６が形成され、両者間に接続部８８が形成されている。
【００８０】
すなわち、第１の誘電体層Ｓ３から第４の誘電体層Ｓ４にかけてフィルタ部２４が形成され、第７〜第１１の誘電体層Ｓ７〜Ｓ１１に変換部８６が形成され、第５の誘電体層Ｓ５に接続部８８が形成されている。
【００８１】
この誘電体基板１２内部において、第２及び第１１の誘電体層Ｓ２、Ｓ１１の一主面には、内層アース電極１８ａ、１８ｂが形成され、第６及び第９の誘電体層Ｓ６、Ｓ９の一主面にも、内層アース電極１８ｃ、１８ｄが形成されている。この場合、内層アース電極１８ｃは、フィルタ部２４と変換部８６とのアイソレーションを目的として形成されている。
【００８２】
そして、ビアホール４８、５０を介して内層アース電極１８ａ〜１８ｄと第３の誘電体層Ｓ３に形成された内層アース電極４２と第５の誘電体層に形成された内層アース電極４６とが、電気的に接続されている。また、内層アース電極１８ｂは、ビアホール５２、５４を介してアース端子１６ｈ、１６ｋと電気的に接続されている。
【００８３】
第３の誘電体層Ｓ３の一主面には、内層アース電極４２以外にも、入力側共振器２０と出力側共振器２２との間の結合度を調整するための結合調整電極４４が形成されている。
【００８４】
第４の誘電体層Ｓ４の一主面には、入力側共振電極２６及び出力側共振電極２８が形成されている。この場合、第４の側面１４ｄ寄りの位置に入力側共振電極２６が形成され、第１の側面１４ａ寄りの位置に出力側共振電極２８が形成されている。
【００８５】
これらの共振電極２６、２８の短絡端部２６ａ、２８ａは、第４の誘電体層Ｓ４上に形成された短絡電極７４を介してそれぞれ電気的に接続されている。短絡電極７４は、２つのビアホール３０、３２を介して内層アース電極１８ａ〜１８ｄと電気的に接続されている。
【００８６】
また、入力側共振電極２６の開放端部２６ｂは、図１１及び図１３に示すように、第４の誘電体層Ｓ４上であって第２の側面１４ｂ寄りの位置で９０°に折り曲げられ、第４の側面１４ｄに向い延在している。出力側共振電極２８の開放端部２８ｂは、第４の誘電体層Ｓ４上であって第２の側面１４ｂ寄りの位置で９０°に折り曲げられ、第１の側面１４ａに向い延在している。そして、図１３に示すように、開放端部２６ｂ、２８ｂは、内層アース電極４２、４６の第１及び第２の端部４２ａ、４２ｂ、４６ａ、４６ｂの投影像と交差している。
【００８７】
また、第４の誘電体層Ｓ４の一主面には、入力タップ電極３４が、入力側共振電極２６から引き出され、第３及び第４の側面１４ｃ、１４ｄのコーナ部分にまで延在している。入力タップ電極３４の終端部は、ビアホール３６を介して非平衡入力端子１６ｌと電気的に接続されている。
【００８８】
第５の誘電体層Ｓ５の一主面には、上述した内層アース電極４６の他にも、該一主面の中央部分において、接続部８８を構成する接続電極９０が、出力側共振電極２８の一部と重なるようにして形成されている。接続電極９０は、出力側共振電極２８との間で容量結合を行っている。
【００８９】
また、第６の誘電体層Ｓ６の一主面における内層アース電極１８ｃの中央部分には、絶縁をとるための領域が形成され、該領域を貫通して形成されるビアホール９２によって、第５の誘電体層Ｓ５の一主面に形成される接続電極９０と、第７の誘電体層Ｓ７の一主面に形成される第１のストリップライン８０とが、電気的に接続されている。
【００９０】
第７の誘電体層Ｓ７の一主面のうち、第１の側面１４ａ寄りの位置には、変換部８６を構成する第１のストリップライン８０が形成されている。この第１のストリップライン８０は、一端９４から渦巻き状に展開され、さらに、一端９４と線対称の位置（アース端子１６ｈ、１６ｋを結ぶ線分ｍを基準とした線対称の位置）に配された他端９６に向かって渦巻き状に収束するような形状とされている。そして、第１のストリップライン８０のうち、前記一端９４あるいは一端９４の近傍の位置（接続位置９８）において、上述した接続電極９０がビアホール９２を介して電気的に接続されている。
【００９１】
また、第８の誘電体層Ｓ８の一主面には、変換部８６を構成する第２及び第３のストリップライン８２、８４が形成されている。第２のストリップライン８２は、上述した第１のストリップライン８０における前記一端９４に対応する一端１００から、第８の誘電体層Ｓ８のうち、第１の平衡出力端子１６ｉに対向する位置に向かって渦巻き状に展開された形状を有し、第３のストリップライン８４は、上述した第１のストリップライン８０における前記他端９６に対応する一端１０２から、第８の誘電体層Ｓ８のうち、第２の平衡出力端子１６ｇに対向する位置に向かって渦巻き状に展開された形状を有する。
【００９２】
特に、第２及び第３のストリップライン８２、８４は、その渦巻き状の形状が互いに線対称（前記線分ｍを基準とした線対称）とされ、各物理長がほぼ同一とされている。
【００９３】
そして、第２のストリップライン８２の他端１０４あるいは該他端１０４の近傍の位置（接続位置１０６）において、ビアホール１０８を介して第２のストリップライン８２と第１の平衡出力端子１６ｉとが電気的に接続され、第３のストリップライン８４の他端１１０あるいは該他端の近傍の位置（接続位置１１２）において、ビアホール１１４を介して第３のストリップライン８４と第２の平衡出力端子１６ｇとが電気的に接続されている。
【００９４】
また、第１０の誘電体層Ｓ１０の一主面にはＤＣ電極１１６が形成され、該ＤＣ電極１１６は、ビアホール１１８を介してＤＣ入力端子１６ｊと電気的に接続されている。この場合、内層アース電極１８ｄは第１〜第３のストリップライン８０〜８４とＤＣ電極１１６とを電気的に分離し、内層アース電極１８ｂは５つの端子１６ｇ〜１６ｉ、１６ｋ、１６ｌとＤＣ電極１１６とを電気的に分離する。
【００９５】
また、第９の誘電体層Ｓ９の一主面における内層アース電極１８ｄのうち、第１の側面１４ａ寄りの部分には、２つの電気的に絶縁された領域がそれぞれ形成されている。そして、第２のストリップライン８２における一端１００あるいは該一端１００の近傍の位置（接続位置１２０）とＤＣ電極１１６とが、前記２つの絶縁された領域のうち、第３の側面１４ｃ寄りの領域を貫通するビアホール１２２を介して電気的に接続されている。また、第３のストリップライン８４における一端１０２あるいは該一端１０２の近傍の位置（接続位置１２４）とＤＣ電極１１６とが、前記２つの絶縁された領域のうち、第２の側面１４ｂ寄りの領域を貫通するビアホール１２６を介して電気的に接続されている。
【００９６】
これにより、図１４に示すように、ＤＣ入力端子１６ｊを介して第２及び第３のストリップライン８２、８４に図示しないＤＣ電源が接続される。また、ＤＣ電極１１６は、内層アース電極１８ｂ及び１８ｄ（ＧＮＤ）との間で容量Ｃが形成されたものとなる。
【００９７】
次に、第３の実施の形態に係る受動部品１０Ｃと、図１５及び図１６に示す受動部品１３０（第５の比較例）との違いについて説明する。
【００９８】
第５の比較例に係る受動部品１３０は、入力側共振電極２６及び出力側共振電極２８が略直線状であり、その開放端部２６ｂ、２８ｂと内層アース電極４２、４６とが重なり合っていると共に、該受動部品１３０が短絡電極７４を有しない点で、第３の実施の形態に係る受動部品１０Ｃ（図１１及び図１３参照）と異なる。
【００９９】
この場合、開放端部２６ｂ、２８ｂと内層アース電極４２、４６とが重なり合っているので、積層ずれによって重なり長さｄが変化し、開放端部２６ｂ、２８ｂと内層アース電極４２、４６との重なり部分の面積Ｄが変化する。これにより、開放端部２６ｂ、２８ｂと内層アース電極４２、４６との静電容量が変動して、受動部品１３０の電気的特性にばらつきが発生することが考えられる。
【０１００】
また、短絡電極７４を有していないので、ビアホール３０、３２の長さが入力側共振電極２６及び出力側共振電極２８の共振器長に含まれることになる。そのため、ビアホール３０、３２のインピーダンスがばらつくことにより、入力側共振器２０及び出力側共振器２２の共振周波数が変動し、受動部品１３０の電気的特性にばらつきが発生することも懸念される。
【０１０１】
これに対して、第３の実施の形態に係る受動部品１０Ｃは、図１３に示すように、内層アース電極４２、４６の第１及び第２の端部４２ａ、４２ｂ、４６ａ、４６ｂの投影像と、入力側共振電極２６の開放端部２６ｂ及び出力側共振電極２８の開放端部２８ｂとが、交差して形成されている。これにより、受動部品１０Ｃを製造する際に積層ずれが矢印Ａ方向及び矢印Ｂ方向に発生しても、入力側共振電極２６の開放端部２６ｂ及び出力側共振電極２８の開放端部２８ｂと内層アース電極４２、４６との重なる部分の面積Ｄが変化することはない。これにより、積層ずれによる電気的特性の変動を抑制することができる。その結果、積層方向に配置される電極間の間隔や、各電極の面積を小さくしても、同じ特性変動に抑えることができ、受動部品１０Ｃの小型化及び薄型化を図ることができる。
【０１０２】
また、第３の実施の形態に係る受動部品１０Ｃは、短絡電極７４によって入力側共振電極２６の短絡端部２６ａと出力側共振電極２８の短絡端部２８ａとを電気的に接続しているので、ビアホール３０、３２の長さを入力側共振器２０及び出力側共振器２２の共振器長に含めなくてもよい。これにより、ビアホール３０、３２のインピーダンスのばらつきに関係なく、入力側共振器２０及び出力側共振器２２の共振周波数の変動を抑制することができる。従って、受動部品１０Ｃの電気的特性のさらなる安定化を図ることができる。
【０１０３】
第３の実施の形態に係る受動部品１０Ｃでは、図１１及び図１３に示す共振電極２６、２８の配置に限定されることはない。例えば、第１及び第２の実施の形態に係る受動部品１０Ａ、１０Ｂで説明した共振電極２６、２８、７０の電極配置（図４及び図７〜図９参照）において、出力タップ電極３８を取り除いた電極配置を採用することも可能である。
【０１０４】
なお、本発明に係る受動部品は、上述の実施の形態に限らず、本発明の要旨を逸脱することなく、種々の構成を採り得ることはもちろんである。
【図面の簡単な説明】
【０１０５】
【図１】第１の実施の形態に係る受動部品を示す斜視図である。
【図２】第１の実施の形態に係る受動部品を示す分解斜視図である。
【図３】第１の実施の形態に係る受動部品を示す断面図である。
【図４】第３及び第５の誘電体層に形成された内層アース電極を第４の誘電体層の一主面に投影した平面図である。
【図５】図５Ａは第１の比較例に係る受動部品のうち、共振電極の開放端部を示す平面図であり、図５Ｂは第２の比較例に係る受動部品のうち、共振電極の開放端部を示す平面図である。
【図６】図６Ａは第３の比較例に係る受動部品のうち、共振電極の開放端部を示す平面図であり、図６Ｂは第４の比較例に係る受動部品のうち、共振電極の開放端部を示す平面図である。
【図７】第１の変形例に係る受動部品のうち、第４の誘電体層の一主面を示す平面図である。
【図８】第２の実施の形態に係る受動部品を示す平面図である。
【図９】第２の変形例に係る受動部品のうち、第４の誘電体層の一主面を示す平面図である。
【図１０】第３の実施の形態に係る受動部品を示す斜視図である。
【図１１】第３の実施の形態に係る受動部品を示す分解斜視図である。
【図１２】第３の実施の形態に係る受動部品を示す断面図である。
【図１３】第３の実施の形態に係る受動部品のうち、共振電極の部分を示す平面図である。
【図１４】第３の実施の形態に係る受動部品のうち、変換部を示す回路図である。
【図１５】第５の比較例に係る受動部品を示す分解斜視図である。
【図１６】第５の比較例に係る受動部品のうち、共振電極の部分を示す平面図である。
【図１７】従来の受動部品を示す分解斜視図である。
【図１８】従来の受動部品のうち、共振電極の開放端部を示す平面図である。
【符号の説明】
【０１０６】
１０Ａ〜１０Ｃ、５８Ａ〜５８Ｄ、１３０…受動部品
１２…誘電体基板                        １４ａ〜１４ｄ…側面
１４ｅ…上面                            １４ｆ…底面
１６ａ〜１６ｌ…端子
１８ａ、１８ｂ、４２、４６…内層アース電極
２０…入力側共振器                      ２２…出力側共振器
２４…フィルタ部                        ２６…入力側共振電極
２６ａ、２８ａ…短絡端部                ２６ｂ、２８ｂ…開放端部
２８…出力側共振電極
３０、３２、３６、４０、４８、５０、５２、５４…ビアホール
３４…入力タップ電極                    ３８…出力タップ電極
４４…結合調整電極
４２ａ、４２ｂ、４６ａ、４６ｂ…端部    ７４…短絡電極
【図１】
2006066980.tif 000003
【図２】
2006066980.tif 000004
【図３】
2006066980.tif 000005
【図４】
2006066980.tif 000006
【図５】
2006066980.tif 000007
【図６】
2006066980.tif 000008
【図７】
2006066980.tif 000009
【図８】
2006066980.tif 000010
【図９】
2006066980.tif 000011
【図１０】
2006066980.tif 000012
【図１１】
2006066980.tif 000013
【図１２】
2006066980.tif 000014
【図１３】
2006066980.tif 000015
【図１４】
2006066980.tif 000016
【図１５】
2006066980.tif 000017
【図１６】
2006066980.tif 000018
【図１７】
2006066980.tif 000019
【図１８】
2006066980.tif 000020